(57)【要約】【課題】ＲＦ信号のオフセット電圧を補償できる復調器及び復調方法を提供する。【解決手段】復調器は、オフセット電圧を含むＲＦ信号とアナログ基準信号との差に相当する第１アナログ信号を第１デジタル信号に変換するアナログ‐デジタル変換部と、第１デジタル信号をオフセット補償電圧に変換する補償電圧発生部３６と、を含み、アナログ‐デジタル変換部は、オフセット電圧を含むＲＦ信号とオフセット補償電圧との差に相当する第２アナログ信号を第２デジタル信号に変換して、ＲＦ信号に含まれたオフセットを補償することで、ＲＦ信号の歪曲及び信号対雑音比（ＳＮＲ）を減らしてＲＦ受信器の受信感度を向上させる。【選択図】図１【その他】特許出願人の名称は、国際出願の願書に「３ＡＬＯＧＩＣＳ」と記載されておりますが、正しい名称は、国内書面に記載の「３Ａ  Ｌｏｇｉｃｓ  Ｃｏ．，Ｌｔｄ．」です。
2009534998.tif 000002
【特許請求の範囲】
【請求項１】
オフセット電圧を含むＲＦ信号とアナログ基準信号との差に相当する第１アナログ信号を第１デジタル信号に変換するアナログ‐デジタル変換部と、
前記第１デジタル信号をオフセット補償電圧に変換する補償電圧発生部と、を含み、
前記アナログ‐デジタル変換部は、
前記オフセット電圧を含む前記ＲＦ信号と前記オフセット補償電圧との差に相当する第２アナログ信号を第２デジタル信号に変換することを特徴とする復調器。
【請求項２】
前記アナログ‐デジタル変換部は、
前記ＲＦ信号から前記アナログ基準信号を減算して、前記第１アナログ信号を出力する減算器と、
前記減算器から出力された前記第１アナログ信号を前記第１デジタル信号に変換するアナログ‐デジタル変換器と、を含み、
前記減算器は、
前記ＲＦ信号から前記オフセット補償電圧を減算して、前記第２アナログ信号を出力し、
前記アナログ‐デジタル変換器は、
前記第２アナログ信号を前記第２デジタル信号に変換することを特徴とする請求項１に記載の復調器。
【請求項３】
前記補償電圧発生部は、
補償イネーブル信号に応答して、前記第１デジタル信号を保存するメモリ部と、
前記メモリ部に保存された前記第１デジタル信号を前記オフセット補償電圧に変換するデジタル−アナログ変換器と、
前記補償イネーブル信号に応答して、前記アナログ基準信号または前記オフセット補償電圧を出力するマルチプレクサと、を含むことを特徴とする請求項１に記載の復調器。
【請求項４】
前記復調器は、
ＲＦ送信器から出力されたＲＦ送信信号の包絡線を検出し、該検出結果を低域フィルタリングして、前記ＲＦ信号を出力する包絡線検出／低域通過フィルターブロックをさらに含むことを特徴とする請求項１に記載の復調器。
【請求項５】
前記復調器は、
クロック信号と少なくとも一つのスレショルド電圧に相当する基準信号とに基づいて、前記第２デジタル信号をエバリュエーションし、該エバリュエーションされた信号をＲＦ復調信号として出力する出力部をさらに含むことを特徴とする請求項１に記載の復調器。
【請求項６】
前記復調器は、
ＲＦカードリーダーに具現されることを特徴とする請求項５に記載の復調器。
【請求項７】
オフセット電圧を含むＲＦ信号とアナログ基準信号との差に相当する第１アナログ信号を第１デジタル信号に変換して出力するステップと、
前記第１デジタル信号をオフセット補償電圧に変換して出力するステップと、
前記オフセット電圧を含む前記ＲＦ信号と前記オフセット補償電圧との差に相当する第２アナログ信号を第２デジタル信号に変換して出力するステップと、を含むことを特徴とするＲＦ信号のオフセット電圧補償方法。
【請求項８】
前記第１アナログ信号を前記第１デジタル信号に変換して出力するステップは、
前記ＲＦ信号から前記アナログ基準信号を減算して、前記第１アナログ信号を出力するステップと、
前記第１アナログ信号を前記第１デジタル信号に変換するステップと、を含むことを特徴とする請求項７に記載のＲＦ信号のオフセット電圧補償方法。
【請求項９】
前記第１デジタル信号を前記オフセット補償電圧に変換して出力するステップは、
補償イネーブル信号に応答して、前記第１デジタル信号をメモリ部に保存するステップと、
前記メモリ部に保存された前記第１デジタル信号を前記オフセット補償電圧に変換するステップと、
前記補償イネーブル信号に応答して、前記オフセット補償電圧をマルチプレクシングして出力するステップと、を含むことを特徴とする請求項７に記載のＲＦ信号のオフセット電圧補償方法。
【請求項１０】
前記ＲＦ信号の前記オフセット補償方法は、
前記第１アナログ信号を前記第１デジタル信号に変換して出力するステップの前に、ＲＦ送信器から出力されたＲＦ送信信号の包絡線を検出し、該検出結果を低域フィルタリングして、前記ＲＦ信号を出力するステップをさらに含むことを特徴とする請求項７に記載のＲＦ信号のオフセット電圧補償方法。
【請求項１１】
前記ＲＦ信号の前記オフセット補償方法は、
クロック信号と少なくとも一つのスレショルド電圧に相当する基準信号とに基づいて、前記第２デジタル信号をエバリュエーションし、該エバリュエーションされた信号をＲＦ復調信号として出力するステップをさらに含むことを特徴とする請求項７に記載のＲＦ信号のオフセット電圧補償方法。
【発明の詳細な説明】
【技術分野】
【０００１】
本発明は、復調器に係り、より詳細には、ＲＦ信号のオフセット電圧を補償できる復調器及びその方法に関する。
【背景技術】
【０００２】
通常のＲＦＩＤ（ｒａｄｉｏ  ｆｒｅｑｕｅｎｃｙ  ｉｄｅｎｔｉｆｉｃａｔｉｏｎ）システムは、無線接続方式によって相互誘導（Ｉｎｄｕｃｔｉｖｅｌｙ  ｃｏｕｐｌｅｄ）方式と電磁波（Ｅｌｅｃｔｒｏｍａｇｎｅｔｉｃ  ｗａｖｅ）方式とに分けることができる。
【０００３】
前記相互誘導方式は、近距離（例えば、１ｍ以内）用のＲＦＩＤシステムに使われ、コイルアンテナ（ｃｏｉｌ  ａｎｔｅｎｎａ）を用いてＲＦ信号受信器（例えば、リーダー（ｒｅａｄｅｒ））とＲＦ信号送信器（例えば、ＲＦタグ（ｔａｇ））とが無線通信を行う。前記相互誘導方式のＲＦタグは、ほとんど手動で作動する。すなわち、前記ＲＦタグのＩＣチップの動作に必要なすべてのエネルギーは、リーダーによって供給される。したがって、前記リーダーのアンテナコイルは、周辺地域に強い磁場を発生させる。前記アンテナコイルから放出された磁場の一部は、リーダーと離れているＲＦタグのコイルアンテナに誘導性電圧を発生させ、該発生した誘導性電圧が整流された後、ＩＣチップのためのエネルギーとして供給される。
【０００４】
前記電磁波方式は、中長距離用のＲＦＩＤシステムに使われ、高周波アンテナを用いてリーダーとＲＦタグとが無線通信を行う。前記電磁波方式のＲＦタグは、ＩＣチップを駆動するための十分な電力をリーダーから供給されることができないので、長距離認識のための追加的な電池を含むＲＦタグ（例えば、能動型）もある。
【０００５】
前記リーダーと前記ＲＦタグのそれぞれは、さまざまなデジタル方式の符号化（ｃｏｄｉｎｇ）を用いて基底帯域のデータを処理するが、前記ＲＦタグから発生したＲＦ信号は、オフセット電圧を含みうる。したがって、前記ＲＦ信号は、前記オフセット電圧によって歪曲され、信号対雑音比（ＳＮＲ）が低下してしまい、結局リーダーの受信感度は低下する。
【発明の開示】
【発明が解決しようとする課題】
【０００６】
本発明が果たそうとする技術的な課題は、オフセット電圧の補償電圧発生ブロックを含む復調器を用いて、ＲＦタグから受信されたＲＦ信号のオフセット電圧を補償できる復調器及びその方法を提供することである。
【課題を解決するための手段】
【０００７】
前記技術的な課題を果たすための復調器は、オフセット電圧を含むＲＦ信号とアナログ基準信号との差に相当する第１アナログ信号を第１デジタル信号に変換するアナログ‐デジタル変換部と、前記第１デジタル信号をオフセット補償電圧に変換する補償電圧発生部と、を含み、前記アナログ‐デジタル変換部は、前記オフセット電圧を含む前記ＲＦ信号と前記オフセット補償電圧との差に相当する第２アナログ信号を第２デジタル信号に変換することができる。
【０００８】
前記アナログ‐デジタル変換部は、前記ＲＦ信号から前記アナログ基準信号を減算して、前記第１アナログ信号を出力する減算器と、前記減算器から出力された前記第１アナログ信号を前記第１デジタル信号に変換するアナログ‐デジタル変換器と、を含み、前記減算器は、前記ＲＦ信号から前記オフセット補償電圧を減算して、前記第２アナログ信号を出力し、前記アナログ‐デジタル変換器は、前記第２アナログ信号を前記第２デジタル信号に変換することができる。
【０００９】
前記補償電圧発生部は、補償イネーブル信号に応答して、前記第１デジタル信号を保存するメモリ部と、前記メモリ部に保存された前記第１デジタル信号をオフセット補償電圧に変換するデジタル−アナログ変換器と、前記補償イネーブル信号に応答して、前記アナログ基準信号または前記オフセット補償電圧を出力するＭＵＸと、を含みうる。
【００１０】
前記復調器は、ＲＦ送信器から出力されたＲＦ送信信号の包絡線（ｅｎｖｅｌｏｐｅ）を検出し、該検出結果を低域フィルタリングして、前記ＲＦ信号を出力する包絡線検出／低域通過フィルターブロックをさらに含みうる。
【００１１】
前記復調器は、クロック信号と少なくとも一つのスレショルド電圧に相当する基準信号とに基づいて、前記第２デジタル信号をエバリュエーション（復調）し、該エバリュエーションされた信号をＲＦ復調信号として出力する出力部をさらに含みうる。
【００１２】
前記復調器は、ＲＦカードリーダーに具現可能である。
【００１３】
前記技術的課題を果たすためのＲＦ信号のオフセット電圧補償方法は、オフセット電圧を含むＲＦ信号とアナログ基準信号との差に相当する第１アナログ信号を第１デジタル信号に変換して出力するステップと、前記第１デジタル信号をオフセット補償電圧に変換して出力するステップと、前記オフセット電圧を含む前記ＲＦ信号と前記オフセット補償電圧との差に相当する第２アナログ信号を第２デジタル信号に変換して出力するステップと、を含みうる。
【００１４】
前記第１アナログ信号を前記第１デジタル信号に変換して出力するステップは、前記ＲＦ信号から前記アナログ基準信号を減算して、前記第１アナログ信号を出力するステップと、前記第１アナログ信号を前記第１デジタル信号に変換するステップと、を含みうる。
【００１５】
前記第１デジタル信号を前記オフセット補償電圧に変換して出力するステップは、補償イネーブル信号に応答して、前記第１デジタル信号をメモリ部に保存するステップと、前記メモリ部に保存された前記第１デジタル信号を前記オフセット補償電圧に変換するステップと、前記補償イネーブル信号に応答して、前記オフセット補償電圧をマルチプレクシングして出力するステップと、を含みうる。
【００１６】
前記ＲＦ信号の前記オフセット電圧補償方法は、前記第１アナログ信号を前記第１デジタル信号に変換して出力するステップ前に、ＲＦ送信器から出力されたＲＦ送信信号の包絡線を検出し、該検出結果を低域フィルタリングして、前記ＲＦ信号を出力するステップをさらに含みうる。
【００１７】
前記ＲＦ信号の前記オフセット電圧補償方法は、クロック信号と少なくとも一つのスレショルド電圧に相当する基準信号とに基づいて、前記第２デジタル信号をエバリュエーションし、該エバリュエーションされた信号をＲＦ復調信号として出力するステップをさらに含みうる。
【発明の効果】
【００１８】
本発明による復調器及びその方法は、ＲＦ信号に含まれたオフセット電圧を補償することで、ＲＦ信号の歪曲及び信号対雑音比（ＳＮＲ）を減らしてＲＦ受信器の受信感度を向上させることができる。
【発明を実施するための最良の形態】
【００１９】
本発明と本発明の動作上の利点及び本発明の実施形態によって達成される目的を十分に理解するためには、本発明の望ましい実施形態を例示する添付図面及び添付図面に記載の内容を参照しなければならない。以下、添付した図面を参照して、本発明の望ましい実施形態を説明することによって、本発明を詳しく説明する。各図面に付された同じ参照符号は、同じ部材を表わす。
【００２０】
図１は、本発明の実施形態による復調器の機能ブロック図であり、図２は、図１の出力部の機能ブロック図である。図１と図２とを参照すれば、ＲＦカードリーダーに具現可能である復調器１０は、包絡線検出（ｅｎｖｅｌｏｐｅ  ｄｅｔｅｃｔ）／低域通過フィルターブロック２０、オフセット電圧補償部３０、及び出力部５０を含みうる。
【００２１】
包絡線検出／低域通過フィルターブロック２０は、ＲＦ送信器（図示せず）から受信されたオフセット電圧を含むＲＦ受信信号ＶＲＸの包絡線を検出し、該検出結果を低域フィルタリングして、ＲＦ信号ＶＲを生成する。前記ＲＦ送信器（図示せず）はＲＦタグになることができ、前記ＲＦ信号ＶＲはオフセット電圧を含む。
【００２２】
オフセット電圧補償部３０は、オフセット電圧を含むＲＦ信号ＶＲとアナログ基準信号Ｖｒｅｆとの差に相当する第１アナログ信号Ｖ１を第１デジタル信号Ｖ１１に変換し、第１デジタル信号Ｖ１１をオフセット補償電圧Ｖｏｃに変換し、オフセット補償電圧Ｖｏｃを含むＲＦ信号ＶＲとオフセット補償電圧Ｖｏｃとの差に相当する第２アナログ信号Ｖ２を第２デジタル信号Ｖ２１に変換して出力する。
【００２３】
オフセット補償電圧Ｖｏｃは、多数の解像度（ｒｅｓｏｌｕｔｉｏｎ）を有するデジタル信号（例えば、デジタル信号が４ビットである場合、［００００］から［１１１１］まで）のうちから第１デジタル信号Ｖ１１に相当するアナログ電圧である。
【００２４】
例えば、ＲＦ信号ＶＲの大きさが１．７２Ｖであり、前記ＲＦ信号ＶＲでオフセット電圧が０．０７Ｖである場合、前記オフセット電圧補償部３０は、オフセット電圧（１．７２Ｖ）を含むＲＦ信号ＶＲとアナログ基準信号Ｖｒｅｆ（例えば、１．６５Ｖ）との差に相当する第１アナログ信号Ｖ１（例えば、０．０７Ｖ）を第１デジタル信号Ｖ１１（例えば、１０１０）に変換し、第１デジタル信号Ｖ１１をオフセット補償電圧Ｖｏｃ（例えば、１．７２５Ｖ）に変換し、前記オフセット電圧を含む前記ＲＦ信号ＶＲと前記オフセット補償電圧Ｖｏｃとの差に相当する第２アナログ信号Ｖ２（例えば、−０．００５Ｖ）を第２デジタル信号Ｖ２１（例えば、０１１１）に変換して出力することができる。
【００２５】
オフセット電圧補償部３０は、アナログ‐デジタル変換部と補償電圧発生部３６とを含みうる。減算器３２とアナログ‐デジタル変換器３４とを含むアナログ‐デジタル変換部は、オフセット電圧を含むＲＦ信号ＶＲとアナログ基準信号Ｖｒｅｆとの差に相当する第１アナログ信号Ｖ１を第１デジタル信号Ｖ１１に変換する。
【００２６】
減算器３２は、補償電圧発生部３６のオフセット補償電圧Ｖｏｃの検出時（例えば、図３で補償イネーブル信号Ｅｎ＿ｃａｌが、パワー信号Ｒｘ＿ｐｗｄｎが印加された後、第１論理状態（例えば、ロー）である区間ｔ１）、ＲＦ信号ＶＲから前記アナログ基準信号Ｖｒｅｆを減算して、第１アナログ信号Ｖ１を出力する。
【００２７】
また、補償電圧発生部３６のオフセット補償電圧Ｖｏｃの補償時（例えば、図３で補償イネーブル信号Ｅｎ＿ｃａｌが、第１論理レベル（例えば、ローレベル）状態から第２論理レベル（例えば、ハイレベル）状態に遷移する場合（"ｔ２"時点））、ＲＦ信号ＶＲからオフセット補償電圧Ｖｏｃを減算して、第２アナログ信号Ｖ２を生成する。
【００２８】
本発明の他の実施形態よって減算器３２は、加算器（図示せず）として具現可能であり、この場合、アナログ基準信号Ｖｒｅｆまたはオフセット電圧の補償電圧Ｖｏｃは、前記加算器に反転されて入力されることができる。
【００２９】
アナログ‐デジタル変換器３４は、補償電圧発生部３６のオフセット補償電圧Ｖｏｃの検出時、減算器３２から出力された第１アナログ信号Ｖ１を第１デジタル信号Ｖ１１に変換し、補償電圧発生部３６のオフセット補償電圧Ｖｏｃの補償時、第２アナログ信号Ｖ２を第２デジタル信号Ｖ２１に変換する。
【００３０】
補償電圧発生部３６は、アナログ‐デジタル変換部から発生した第１デジタル信号Ｖ１１をオフセット補償電圧Ｖｏｃに変換する。補償電圧発生部３６は、メモリ部３８、デジタル−アナログ変換器３９、及びＭＵＸ４０を含みうる。メモリ部３８は、補償イネーブル信号Ｅｎ＿ｃａｌに応答して、第１デジタル信号Ｖ１１を受信して保存する。
【００３１】
メモリ部３８は、補償イネーブル信号Ｅｎ＿ｃａｌに応答して、第１デジタル信号Ｖ１１を保存する。メモリ部３８は、フラッシュＥＥＰＲＯＭのような不揮発性メモリ装置、またはＳＤＲＡＭ、ＤＤＲ  ＳＤＲＡＭのような揮発性メモリとして具現可能であり、簡単にフリップフロップとしても具現されることもある。デジタル−アナログ変換器３９は、メモリ部３８に保存された第１デジタル信号Ｖ１１をオフセット補償電圧Ｖｏｃに変換する。
【００３２】
ＭＵＸ４０は、補償イネーブル信号Ｅｎ＿ｃａｌに応答して、アナログ基準信号Ｖｒｅｆまたはオフセット電圧の補償電圧Ｖｏｃを減算器３２に出力する。例えば、ＭＵＸ４０は、補償イネーブル信号Ｅｎ＿ｃａｌが、第１論理レベル（例えば、ローレベル）状態である場合、アナログ基準信号Ｖｒｅｆを減算器３２に出力する。または、ＭＵＸ４０は、補償イネーブル信号Ｅｎ＿ｃａｌが、第２論理レベル（例えば、ハイレベル）状態である場合、オフセット電圧の補償電圧Ｖｏｃを減算器３２に出力する。
【００３３】
したがって、本発明の実施形態によれば、第１デジタル信号Ｖ１１は、メモリ部３８に保存され、該保存された第１デジタル信号Ｖ１１は、デジタル−アナログ変換器３９によってオフセット補償電圧Ｖｏｃに変換され、アナログ‐デジタル変換部によって前記オフセット電圧は補償されるので、ＲＦ信号ＶＲの大きさが変わってもＲＦ信号ＶＲに含まれたオフセット電圧は補償されるという効果がある。
【００３４】
出力部５０は、クロック信号ＣＬＫと少なくとも一つのスレショルド電圧に相当する基準信号１ｓｔ  ｂｉｔｓ、２ｎｄ  ｂｉｔｓとに基づいて、第２デジタル信号Ｖ２１をエバリュエーション（復調）し、該エバリュエーションされた信号をＲＦ復調信号Ｖｏｕｔとして出力する。出力部５０は、フリップフロップ部５１とエバリュエーション部５３とを含むことができ、フリップフロップ部５１は、第１フリップフロップ５２を含む多数のフリップフロップを含み、前記多数のフリップフロップのそれぞれは、第２デジタル信号Ｖ２１を構成する矩形波のうちから対応する矩形波をラッチする。
【００３５】
例えば、前記多数のフリップフロップのうちから第１フリップフロップ５２は、クロック信号ＣＬＫに基づいて、第２デジタル信号Ｖ２１を構成する矩形波（図示せず）のうちから対応する第１矩形波（図示せず）をラッチする。
【００３６】
第１フリップフロップ５２は、第１矩形波（図示せず）を受信するための入力端子Ｄ、クロック信号ＣＬＫを受信するためのクロック端子Ｃ、出力端子Ｑ、及びリセット信号ＳＴＣを受信するためのリセット端子Ｒを含みうる。
【００３７】
エバリュエーション部５３は、フリップフロップ部５１の出力信号を受信し、該受信された信号のそれぞれを少なくとも一つのスレショルド電圧に相当する少なくとも一つの基準信号１ｓｔ  ｂｉｔｓ、２ｎｄ  ｂｉｔｓに基づいて、フリップフロップ部５１の出力信号のそれぞれをエバリュエーションし、該エバリュエーションされた信号のそれぞれをＲＦ復調信号Ｖｏｕｔとして出力する。
【００３８】
前記少なくとも一つの基準信号１ｓｔ  ｂｉｔｓ、２ｎｄ  ｂｉｔｓは、多数のデジタルコードのうちから前記少なくとも一つのスレショルド電圧に相当するデジタルコードになり得る。
【００３９】
例えば、エバリュエーション部５３は、フリップフロップ部５１の出力信号の大きさが第１基準信号１ｓｔ  ｂｉｔｓに相当する信号の大きさ（例えば、１．６８Ｖ）より大きい場合には、第２論理レベル（例えば、ハイレベル）の信号をＲＦ復調信号Ｖｏｕｔとして出力し、フリップフロップ５２の出力信号の大きさが第１基準信号１ｓｔ  ｂｉｔｓに相当する信号の大きさ（例えば、１．６８Ｖ）より小さく、第２基準信号２ｎｄ  ｂｉｔｓに相当する信号の大きさ（例えば、１．６２Ｖ）より大きい場合には、以前の状態の論理レベルをＲＦ復調信号Ｖｏｕｔとして出力し、エバリュエーション部５３は、フリップフロップ５２の出力信号の大きさが第２基準信号２ｎｄ  ｂｉｔｓに相当する信号の大きさ（例えば、１．６２Ｖ）より小さな場合には、第１論理レベル（例えば、ローレベル）の信号をＲＦ復調信号Ｖｏｕｔとして出力する。
【００４０】
図３は、図１のオフセット電圧補償ブロックの動作を説明するためのタイミング図である。図１ないし図３を参照すると、復調器１０のパワー信号Ｒｘ＿ｐｗｄｎが印加された後、"ｔ１"区間は、補償イネーブル信号Ｅｎ＿ｃａｌが、第１論理レベル（例えば、ローレベル）状態である区間で、補償電圧発生部３６のオフセット補償電圧Ｖｏｃの検出区間である。
【００４１】
すなわち、ＭＵＸ４０は、第１論理レベル（例えば、ローレベル）状態の補償イネーブル信号Ｅｎ＿ｃａｌに応答して、アナログ基準信号Ｖｒｅｆを減算器３２に出力し、減算器３２は、オフセット電圧を含むＲＦ信号ＶＲからアナログ基準信号Ｖｒｅｆを減算して、第１アナログ信号Ｖ１を出力する。アナログ‐デジタル変換器３４は、減算器３２から出力された第１アナログ信号Ｖ１を第１デジタル信号Ｖ１１に変換して出力する。
【００４２】
補償イネーブル信号Ｅｎ＿ｃａｌが、第１論理レベル（例えば、ローレベル）状態から第２論理レベル（例えば、ハイレベル）状態に遷移する場合（"ｔ２"時点）、メモリ部３８は、第１デジタル信号Ｖ１１を受信して保存し、デジタル−アナログ変換器３９は、メモリ部３８に保存された第１デジタル信号Ｖ１１をオフセット補償電圧Ｖｏｃに変換する。ＭＵＸ４０は、第２論理レベル（例えば、ハイレベル）状態の補償イネーブル信号Ｅｎ＿ｃａｌに応答して、オフセット電圧の補償電圧Ｖｏｃを減算器３２に出力する。
【００４３】
減算器３２は、ＲＦ信号ＶＲからオフセット補償電圧Ｖｏｃを減算して、第２アナログ信号Ｖ２を出力し、アナログ‐デジタル変換器３４は、第２アナログ信号Ｖ２を第２デジタル信号Ｖ２１に変換する。出力部５０は、クロック信号ＣＬＫと少なくとも一つのスレショルド電圧に相当する基準信号１ｓｔ  ｂｉｔｓ、２ｎｄ  ｂｉｔｓとに基づいて、第２デジタル信号Ｖ２１をエバリュエーションし、該エバリュエーションされた信号をＲＦ復調信号Ｖｏｕｔとして出力する。
【００４４】
したがって、本発明の実施形態によれば、ＲＦ信号ＶＲに含まれたオフセットを補償することで、ＲＦ信号ＶＲの歪曲及び信号対雑音比（ＳＮＲ）を減らしてＲＦ受信器（図示せず）の受信感度を向上させうる効果がある。
【００４５】
図４は、本発明の実施形態によるＲＦ信号のオフセット電圧補償方法のフローチャートである。図１と図４とを参照すると、アナログ‐デジタル変換器３４は、オフセット電圧を含むＲＦ信号ＶＲとアナログ基準信号Ｖｒｅｆとの差に相当する第１アナログ信号Ｖ１を第１デジタル信号Ｖ１１に変換して出力する（Ｓ１０）。
【００４６】
補償電圧発生部３６は、第１デジタル信号Ｖ１１をオフセット補償電圧Ｖｏｃに変換し（Ｓ１２）、アナログ‐デジタル変換器３４は、前記オフセット電圧を含むＲＦ信号ＶＲとオフセット補償電圧Ｖｏｃとの差に相当する第２アナログ信号Ｖ２を第２デジタル信号Ｖ２１に変換して出力する（Ｓ１４）。
【００４７】
出力部５０は、クロック信号ＣＬＫと少なくとも一つのスレショルド電圧に相当する基準信号１ｓｔ  ｂｉｔｓ、２ｎｄ  ｂｉｔｓとに基づいて、第２デジタル信号Ｖ２１をエバリュエーションし、該エバリュエーションされた信号をＲＦ復調信号Ｖｏｕｔとして出力する（Ｓ１６）。
【００４８】
本発明は、図面に図示された一実施形態を参考にして説明されたが、これは例示的なものに過ぎず、当業者ならば、これより多様な変形及び均等な他実施形態が可能であるという点を理解できるであろう。したがって、本発明の真の技術的保護範囲は、特許請求の範囲の技術的思想によって決まるべきである。
【産業上の利用可能性】
【００４９】
本発明は、復調器で利用されうる。また、本発明による復調器は、ＲＦカードリーダーに利用されうる。
【図面の簡単な説明】
【００５０】
【図１】本発明の実施形態による復調器の機能ブロック図である。
【図２】図１の出力部の機能ブロック図である。
【図３】図１のオフセット電圧補償ブロックの動作を説明するためのタイミング図である。
【図４】本発明の実施形態によるＲＦ信号のオフセット電圧補償方法のフローチャートである。
【符号の説明】
【００５１】
２０：包絡線検出／低域通過フィルターブロック  ３０：オフセット電圧補償部
５０：出力部                                  ３４：アナログ‐デジタル変換器
３６：補償電圧発生部                          ３２：減算器
【図１】
2009534998.tif 000003
【図２】
2009534998.tif 000004
【図３】
2009534998.tif 000005
【図４】
2009534998.tif 000006
【国際調査報告】
2009534998.tif 000007
2009534998.tif 000008